(57)【要約】【課題】  仮設足場の設置や水位制限を行うことなく簡単且つ安全に、しかも安価に設置および取替・補修作業が行える水位観測用量水標を提供することを目的とする。【解決手段】  水位計測用目盛が付された長尺の量水板１を備えた水位観測用量水標であって、前記量水板１の上下端にそれぞれ連設された固定部材３および錘部材４をさらに備え、前記量水板１は、複数の板材２，…が互いに折り曲げ可能に連設されてなり、しかも、吊り下げ得るように吊下ロープ７が設けられてなることを解決手段とする。【選択図】  図１
2005273203.tif 000002
【特許請求の範囲】
【請求項１】
水位計測用目盛が付された長尺の量水板を備えた水位観測用量水標であって、前記量水板の上下端にそれぞれ連設された固定部材および錘部材をさらに備え、前記量水板は、複数の板材が互いに折り曲げ可能に連設されてなり、しかも、吊り下げ得るように吊下ロープが設けられてなることを特徴とする水位観測用量水標。
【請求項２】
前記吊下ロープは、前記固定部材に挿通されると共に前記量水板に沿って配設され前記錘部材に結着されている請求項１に記載の水位観測用量水標。
【発明の詳細な説明】
【技術分野】
【０００１】
本発明は、水位観測用量水標に関し、例えば、ダム、貯水池、水槽等の水位を計測するために用いられる水位観測用量水標に関する。
【背景技術】
【０００２】
従来より、ダムや貯水池においては、水位を計測するべくフロート式や圧力式の水位計が用いられている。そして、これら水位計の異常動作時のバックアップおよび平常時は水位計指示値の確認のため、水位計測用目盛を有する量水標が用いられている。
【０００３】
かかる量水標は、ダムや貯水池の堤体のコンクリート壁等に沿わせて配置されるので、ダムに水が満たされた状態で量水標を取り付ける作業は、水面下での設置作業が必要となる。よって、仮設足場の設置や水位制限が必要となり、設置作業が困難且つ危険になるとともに工事費が高価なものとなる。
【０００４】
一方、量水標を長期間使用することに伴って、量水標の表面が汚れたり、色が薄くなったりしたときには、目視等による目盛の読み取りに支障をきたすため、量水標の取り替えや補修（清掃を含む）が必要となるが、かかる場合でも、量水標をコンクリート壁にボルト等で取り付ける方法では、水面下の量水標を取り替える等のために仮設足場の設置や水位制限が必要となり、取替・補修作業が困難となる。
【発明の開示】
【発明が解決しようとする課題】
【０００５】
そこで、本発明は、上述した問題に鑑み、仮設足場の設置や水位制限を行うことなく簡単且つ安全に、しかも安価に設置および取替・補修作業が行える水位観測用量水標を提供することを目的とする。
【課題を解決するための手段】
【０００６】
本発明に係る水位観測用量水標は、水位計測用目盛が付された長尺の量水板を備えた水位観測用量水標であって、前記量水板の上下端にそれぞれ連設された固定部材および錘部材をさらに備え、前記量水板は、複数の板材が互いに折り曲げ可能に連設されてなり、しかも、吊り下げ得るように吊下ロープが設けられてなることを特徴とする。
【０００７】
該水位観測用量水標によれば、量水板は、複数の板材が互いに折り曲げ可能に連設されてなるので、量水板を折り畳むことが可能となり、これによりコンパクトに収納できて可搬性が高められると共に、吊下ロープが設けられているので、該吊下ロープを把持してダムや貯水池の堤体等から操作することで仮設足場の設置や水位制限を行うことなくダムや貯水池内への設置および取替・補修作業が行えるようになる。
【０００８】
前記吊下ロープは、前記固定部材に挿通されると共に前記量水板に沿って配設され前記錘部材に結着されていることが好ましい。
【０００９】
上記好ましい構成によれば、錘部材の荷重が吊下ロープを介して固定部材や量水板に直接加わることがなくなるので、該荷重により固定部材や量水板を破損させる虞が皆無となる。
【発明の効果】
【００１０】
以上のように、本発明に係る水位観測用量水標によれば、仮設足場の設置や水位制限を行うことなく簡単且つ安全に、しかも安価に設置および取替・補修作業が行えるようになる。
【発明を実施するための最良の形態】
【００１１】
以下、本発明に係る水位観測用量水標の一実施形態について図面を参照しながら説明する。図１は、本実施形態の水位観測用量水標の正面図であり、図２は、該水位観測用量水標の側面図である。該水位観測用量水標は、水位計測用目盛（図示せず）が付された長尺の量水板１と、該量水板１の上端に連設された固定部材３と、該量水板１の下端に連設された錘部材４とを備えている。また、前記量水板１は、複数の板材２，…が互いに折り曲げ可能に縦（垂直）方向に連設されて構成されている。また、本実施形態の水位観測用量水標には、外部から吊り下げ得るように吊下ロープ７が設けられている。
【００１２】
図１に示す水位観測用量水標においては、前記吊下ロープ７は、前記固定部材３に設けられた穴３ａに挿通されると共に前記量水板１の長手方向に沿って配設され前記錘部材４に結着されている。詳しくは、前記穴３ａは、前記固定部材３の上下部位に一対形成されており、前記吊下ロープ７は、該上下一対の穴３ａ，３ａを通っている。また、錘部材４は、縦（垂直）方向に延びる縦錘部材５と、該縦錘部材５の下端部近傍に横（水平）方向に延びるように溶着（固着）された横錘部材６とからなる。該横錘部材６は、量水標の左右への振れを防止すべく設けられている。さらに、横錘部材６には、その一端部（左端部）に設けられた穴８ａを通して、吊下ロープ７による吊下操作を補助するための補助ロープ８が結着されている。
【００１３】
ここで、前記吊下ロープ７は、ポリエステル等の合成繊維からなる。また、固定部材３および錘部材４は、金属、具体的には防錆処理が施された鉄材からなる。また、量水板１（板材２，…）は、木材を用いて形成されており、水位計測用目盛は、該木材に塗布された白色のペンキの上から描かれている。
【００１４】
本実施形態の水位観測用量水標において、前記板材２，…は、全部で４個設けられており、上から順番に第１の板材２ａ、第２の板材２ｂ、第３の板材２ｃ（図１および図２においては図示せず。）、第４の板材２ｄと呼ぶこととすると、第１の板材２ａは、その上端部にて固定部材３の下端部に連設され、第２の板材２ｂは、その上端部にて第１の板部材２ａの下端部に連設され、第３の板材２ｃは、その上端部にて第２の板部材２ｂの下端部に連設され、第４の板材２ｄは、その上端部にて第３の板部材２ｃの下端部に連設され、錘部材４の縦錘部材５は、その上端部にて第４の板材２ｄの下端部に連設されている。
【００１５】
尚、これら各部材（板材２、固定部材３、縦錘部材５）は、それぞれの上下端部に設けられた左右一対の貫通穴９ａ，９ａを通る左右一対のリング状の鋼索（紐）９，９によって相互に連設されている。本実施の形態の水位観測用量水標は、下端部に設けられた錘部材４の荷重によって下方に付勢されるので、前記量水板１（複数の板材２，…）は、吊下ロープ７によって吊り下げた際に略垂直姿勢に保持されるようになる。
【００１６】
また、前記量水板１は、図３に示すように、前記複数の板材２，…を各連設部位を介して互い違いに折り曲げることにより折り畳み可能となっている。これにより、水位観測用量水標をコンパクトに収納することができるようになって可搬性が高められる結果、持ち運びが至極容易に行えるようになっている。尚、量水板１を折り畳むのと同時に固定部材３および錘部材４も各連設部位を介して折り曲げることが可能となっている。
【００１７】
以下、本実施の形態の水位観測用量水標をダムや貯水池内に設置する方法について説明する。まず、図４に示すように、吊下ロープ７と補助ロープ８を手で把持した状態で錘部材４が下方に位置するように各板材２，…を各連設部位を介して折り曲げつつ水位観測用量水標を堤体のコンクリート壁から垂下させる。
【００１８】
続いて、各板材２，…を徐々に下方に延ばしつつ錘部材４を水面１１下に位置させ、次いで水位観測用量水標を吊下ロープ７によって堤体１０から吊り下げた状態とする。尚、この状態では、各板材２，…は、垂直方向にほぼ一直線状に揃った状態となる。最後に水位計測用目盛のコンクリート壁に対する位置を調整しつつ吊下ロープ７を堤体１０の一部等に固定することにより水位観測用量水標の設置が完了する。
【００１９】
一方、量水標を長期間使用することに伴って、量水標の表面が汚れたり、色が薄くなったりしたときには、上記と逆の操作、即ち、吊下ロープ７および補助ロープ８を手で把持して手繰り上げることにより、量水標の取り替えや補修を行うことができる。
【００２０】
以上説明したように、本実施の形態の水位観測用量水標によれば、量水板１は、複数の板材２，…が互いに折り曲げ可能に連設されて構成されているので、量水板１を折り畳むことが可能となり、これによりコンパクトに収納できて可搬性が高められる。また、本実施の形態の水位観測用量水標には吊下ロープ７が設けられているので、該吊下ロープ７を把持してダムや貯水池の堤体１０から吊り下げて設置することができる。これによれば、仮設足場の設置や水位制限を行う必要がないので、簡単且つ安全に、しかも安価に設置を行うことができる。一方、水位観測用量水標の取り替えや補修の際にも、吊下ロープ７を把持してダムや貯水池の堤体１０から手繰り上げて撤去することができ、これにより仮設足場の設置や水位制限を行う必要がなくなるので、取替・補修作業が簡単且つ安全に、しかも安価に行えるようになる。
【００２１】
さらに、前記吊下ロープ７は、前記固定部材３に設けられた穴３ａに挿通されると共に前記量水板１の長手方向に沿って配設され前記錘部材４に結着されているので、錘部材４の荷重が吊下ロープ７を介して固定部材３や量水板１に加わることがなくなるため、該荷重により固定部材３や量水板１を破損させる虞が皆無となり、長年に亘る使用に耐え得るものとなる。
【００２２】
尚、本発明の水位観測用量水標は、上述した実施の形態に限定されず、本発明の技術的思想の範囲で種々の形態の実施が可能である。
【００２３】
例えば、上述した実施の形態では、各部材（板材２、固定部材３、錘部材４）は、リング状の鋼索９を用いて連設したが、その他の手段を用いて連設することも勿論可能である。また、量水板１には木材を用いたが、その他、金属や硬質プラスチックを用いることもできる。
【００２４】
また、吊下ロープ７および補助ロープ８には、それぞれステンレスワイヤー（直径４ミリ）を用いたが、ポリエステル等の合成繊維、あるいは、マニラ麻や綿を用いることもできるし、２種類以上の材質を混燃りにする混撚ロープの形態とすることもできる。
【００２５】
また、量水板１（第１の板材２ａ）と固定部材３とは別体に構成したが、一体的に構成することもできる。
【図面の簡単な説明】
【００２６】
【図１】本発明の一実施形態に係る水位観測用量水標の正面図である。
【図２】同水位観測用量水標の側面図である。
【図３】同水位観測用量水標を折り畳んだ状態を示す側面図である。
【図４】同水位観測用量水標をダムや貯水池内に設置する方法を説明する説明図である。
【符号の説明】
【００２７】
１…量水板、２…板材、３…固定部材、４…錘部材、７…吊下ロープ
【図１】
2005273203.tif 000003
【図２】
2005273203.tif 000004
【図３】
2005273203.tif 000005
【図４】
2005273203.tif 000006